(57)【要約】【課題】本体に対して装飾体が交換可能な装身具において、簡単な構成により、装飾体の着脱が容易で、且つ正確な位置に嵌着することができる装身具を提供する。【解決手段】第一部材１０と、第一部材１０と着脱可能に嵌合する第二部材２０とを備えた装身具１００であって、第一部材１０は、表面１１と、表面１１の側方から屈曲して形成された側方面１２と、側方面１２から突出した脚部１３と、を有し、第二部材２０は、表面１１が配設される側から反対側に延設された切欠部２１を形成して側方面１２と当接する第一部材狭持面２２と、第一部材狭持面内に凹設され脚部１３と嵌合する係合溝２５と、を有し、係合溝２５は、表面１１側と反対側に延設されてなることを特徴とする。【選択図】図１
2011161089.tif 000002
【特許請求の範囲】
【請求項１】
第一部材と、該第一部材と着脱可能に嵌合する第二部材とを備えた装身具であって、
前記第一部材は、表面と、該表面の側方から屈曲して形成された側方面と、該側方面から突出した脚部と、を有し、
前記第二部材は、前記表面が配設される側から反対側に延設された切欠部を形成して前記側方面と当接する第一部材狭持面と、該第一部材狭持面内に凹設され前記脚部と嵌合する係合溝と、を有し、
該係合溝は、前記表面側と反対側に延設されてなることを特徴とする装身具。
【請求項２】
前記第二部材の前記切欠部は、前記表面が配設される側から反対側まで貫通して形成され、
前記第一部材は、前記表面側の反対側から前記表面側に向かって押圧することにより、前記切欠部に嵌入されることを特徴とする請求項１に記載の装身具。
【請求項３】
前記第一部材は、前記表面に装飾が施された装飾部材であることを特徴とする請求項１又は２に記載の装身具。
【請求項４】
前記第二部材は、前記表面側に配設される外側面と、該外側面と対向する位置に設けられる内側面と、をさらに備え、
前記側方面の前記表面と反対側の端部と、前記脚部とは、前記内側面と連続して面一となるように形成されてなることを特徴とする請求項１乃至３のいずれか一項に記載の装身具。
【請求項５】
前記脚部及び前記係合溝は、複数配設されてなることを特徴とする請求項１乃至４のいずれか一項に記載の装身具。
【請求項６】
前記第二部材は、前記表面と反対側に係着された蓋体をさらに備えてなることを特徴とする請求項１乃至５のいずれか一項に記載の装身具。
【請求項７】
前記第二部材は、略Ｃ字状の環体によって形成されてなることを特徴とする請求項１乃至６のいずれか一項に記載の装身具。
【発明の詳細な説明】
【技術分野】
【０００１】
本発明は、装身具に係り、特に本体に取り付けられた装飾体との交換を容易とし、装飾体の着脱を正確な位置で行うことが可能な装身具に関する。
【背景技術】
【０００２】
従来から、指輪やベルト、ネクタイピン等の装身具にはファッション性の向上を目的とし、宝石等の装飾体を付加した構成のものが多い。このような装身具は、装身具の本体と装飾体を一体に形成したものが一般的であるため、長期間その装身具を所持、使用すると使用者がデザインに飽きてしまうことがある。
【０００３】
また使用者は、その日の気分や、装身具を着けていく場所に応じて適当なデザインの装身具を選択する。したがって、使用者はデザインの異なる複数の装身具を所持し、またさらに新たな装身具を買い足す必要があるため、費用が嵩み、異なるデザインの装身具を気軽に交換することが難しい。
【０００４】
さらに、装飾体のデザインが異なる装身具を複数保有することにより、本体を含めた装身具の保管場所を要することになる。特に大きな装身具の場合（例えば、ベルト等）は、その数が増えると保管場所を比較的広く確保しなくてはならない。その結果、使用者が新しいデザインの装身具を自由に購入してファッションを楽しむことができないという虞がある。
【０００５】
これに対し、装身具の一つとして挙げられる指輪において、指に挿脱させる環体と、宝石等の装飾体を別体で形成し、環体と装飾体との付け替えを自由に行うことができる技術が提案されている（特許文献１）。
【先行技術文献】
【特許文献】
【０００６】
【特許文献１】特開２００３−２１０２２０号公報
【発明の概要】
【発明が解決しようとする課題】
【０００７】
特許文献１に記載の技術では、指輪の環体の一部を切り欠いて切欠部を形成し、その切欠部内側から、略球状に形成された装飾体が嵌着された構成の指輪が開示されている。
【０００８】
上記特許文献１の技術では、環体の切欠部に、環体の内側から外側に向かって略球状の装飾体を案内して狭持するように、凹部が設けられている。したがって、装飾体を環体に嵌め込む時に、装飾体が滑って位置ずれしやすく、嵌め込みにくいという問題点があった。
また、装飾体が球体であるため、装飾体のデザインが限定されるという問題点があった。
【０００９】
本発明の目的は、本体（第二部材）に対して装飾体が交換可能な装身具において、簡単な構成により、装飾体の着脱が容易で、且つ正確な位置に嵌着することができる装身具を提供することにある。また、本発明の他の目的は、装飾体のデザインの自由度が高い装身具を提供することにある。
【課題を解決するための手段】
【００１０】
前記課題は、請求項１の装身具によれば、第一部材と、該第一部材と着脱可能に嵌合する第二部材とを備えた装身具であって、前記第一部材は、表面と、該表面の側方から屈曲して形成された側方面と、該側方面から突出した脚部と、を有し、前記第二部材は、前記表面が配設される側から反対側に延設された切欠部を形成して前記側方面と当接する第一部材狭持面と、該第一部材狭持面内に凹設され前記脚部と嵌合する係合溝と、を有し、該係合溝は、前記表面側と反対側に延設されてなること、により解決される。
【００１１】
このように、第一部材と第二部材が脱着可能に形成された装身具において、第一部材に脚部が設けられ、第二部材には脚部と嵌合する係合溝が設けられているので、第一部材を嵌入する際、第一部材と第二部材の相対位置を容易に決定することができる。また、脚部と係合溝が嵌合する構成となっているため、第一部材を第二部材に挿入した後に位置ずれを生じることがない。
また、第一部材に脚部を設けた上記構成の装身具とすることにより、第一部材は必ずしも球状とする必要はないため、第一部材の形状やデザインに関して自由度の高い設計が可能となる。
さらに、本発明の第二部材に設けられた係合溝は、表面と反対側、すなわち第一部材を挿入する側に延設されているため、第一部材を取り外す際、表面側から所要の力で押圧するだけで簡単に取り外すことができる。
【００１２】
このとき、請求項２のように、前記第二部材の前記切欠部は、前記表面が配設される側から反対側まで貫通して形成され、前記第一部材は、前記表面側の反対側から前記表面側に向かって押圧することにより、前記切欠部に嵌入されると好適である。
このように、第二部材に対し、表面と反対側から第一部材を押し込むことにより、本発明の装身具は、第二部材に対して第一部材を簡単に嵌合させることができる。また、第一部材の表面の反対側から第一部材を脱着する構成であるから、装身具を使用者が身につけた際、基本的には使用者の身体側から脱着する構成となる。したがって、使用者が装身具を身につけている間に第一部材が第二部材から脱離してしまうことがあっても、使用者の身体によって押し止めることができるため、第一部材の落下、紛失を防止することができる。
【００１３】
さらにまた、請求項３のように、前記第一部材は、前記表面に装飾が施された装飾部材であると好ましい。
このように、第一部材の表面に、例えば宝石等を用いた装飾を施し、第一部材を装飾部材とすることにより、意匠的に好適な装身具を提供することができる。
【００１４】
またこのとき、請求項４のように、前記第二部材は、前記表面側に配設される外側面と、該外側面と対向する位置に設けられる内側面と、をさらに備え、前記側方面の前記表面と反対側の端部と、前記脚部とは、前記内側面と連続して面一となるように形成されてなると好適である。
このように、表面の裏側と、第二部材とを連続した形状に設計すると、使用者がその装身具を身につけた際に違和感を覚えることがない。また、第一部材と第二部材が一体に形成されたような外観の装身具とすることも可能であるため、デザイン性を損なうことがない。
【００１５】
また、請求項５のように、前記脚部及び前記係合溝は、複数配設されてなると好適である。
このように、第一部材の脚部を複数配設することにより、第一部材の第二部材に対する相対位置をより容易に決定することができる。
【００１６】
請求項６のように、前記第二部材は、前記表面と反対側に係着された蓋体をさらに備えてなると好ましい。
このように、表面の反対側から第一部材を覆う蓋体が第二部材に取り付けられていることにより、第一部材が第二部材から脱離するのを防ぐことができる。
【００１７】
また、請求項７のように、前記第二部材は、略Ｃ字状の環体によって形成されてなると好ましい。
このように、第二部材を略Ｃ字状の環体によって形成することにより、本発明の構成は、指輪、腕時計、ブレスレット等に好適に用いられる。
【発明の効果】
【００１８】
請求項１の発明によれば、第一部材と第二部材の位置決めを容易に行うことができ、第二部材に対する第一部材の相対位置がずれることがない。また、第一部材のデザインを球状に限定せず、デザインの自由度を向上させることができる。
請求項２の発明によれば、第二部材に対して第一部材を容易に嵌合させることができる。また、第一部材が第二部材から外れた場合であっても、第一部材が第二部材から完全に脱離してしまうのを防ぐことができる。
請求項３の発明によれば、意匠的に好適な装身具を提供することができる。
請求項４の発明によれば、装身具の装着時、使用者が違和感なく装身具を身につけることができる。
請求項５の発明によれば、使用者が第一部材を第二部材に嵌入させる際、より容易に位置決めすることができる。
請求項６の発明によれば、第二部材から第一部材が脱離するのを防ぐことができる。
請求項７の発明によれば、第一部材の取り替えが容易な指輪、腕時計、ブレスレット等を提供することができる。
【図面の簡単な説明】
【００１９】
【図１】（ａ）本発明の実施形態１に係る装身具の平面図である。（ｂ）本発明の実施形態１に係る装身具の正面図である。（ｃ）本発明の実施形態１に係る装身具の側面図である。
【図２】（ａ）本発明の実施形態１に係る装身具の第一部材の平面図である。（ｂ）本発明の実施形態１に係る装身具の第一部材の正面図である。（ｃ）本発明の実施形態１に係る装身具の第一部材の側面図である。
【図３】（ａ）本発明の実施形態１に係る装身具の第二部材の平面図である。（ｂ）本発明の実施形態１に係る装身具の第二部材の正面図である。（ｃ）本発明の実施形態１に係る装身具の第二部材の側面図である。
【図４】（ａ）本発明の実施形態２に係る装身具の正面図である。（ｂ）本発明の実施形態２に係る装身具の下面図である。
【図５】（ａ）本発明の実施形態３に係る装身具の平面図である。（ｂ）本発明の実施形態３に係る装身具の側面図である。（ｃ）本発明の実施形態３に係る装身具の正面図である。
【図６】（ａ）本発明の実施形態４に係る装身具の正面図である。（ｂ）本発明の実施形態４に係る装身具の下面図である。
【図７】（ａ）本発明の実施形態５に係る装身具の正面図である。（ｂ）本発明の実施形態５に係る装身具の下面図である。
【図８】（ａ）本発明の実施形態６に係る装身具の正面図である。（ｂ）本発明の実施形態６に係る装身具の平面図である。
【図９】（ａ）本発明の実施形態７に係る装身具の平面図である。（ｂ）本発明の実施形態７に係る装身具の正面図である。
【発明を実施するための形態】
【００２０】
［実施形態１］
以下、本発明の実施形態１について、図を参照して説明する。なお、以下に説明する部材、配置、材料等は、本発明を限定するものではなく、本発明の趣旨に沿って各種改変することができることはもちろんである。また、本明細書において、装身具とは、ネックレス、カフスボタン、ネクタイピン、指輪、ベルト、腕時計、キーホルダー、眼鏡など、装飾のために使用者が身に着けるものを指す。
【００２１】
図１乃至図３は本発明の実施形態１を示すものであり、図１（ａ）は装身具の平面図、（ｂ）は装身具の正面図、（ｃ）は装身具の側面図であり、図２（ａ）は装身具の第一部材の平面図、（ｂ）は装身具の第一部材の正面図、（ｃ）は装身具の第一部材の側面図であり、図３（ａ）は装身具の第二部材の平面図、（ｂ）は装身具の第二部材の正面図、（ｃ）は装身具の第二部材の側面図である。
【００２２】
本発明に係る装身具の実施形態１である指輪１００は、図１で示すように、装飾部材である第一部材１０及び第二部材２０より構成されている。そして、例えば、金、プラチナ、銀、及びそれら合金などの貴金属材料や、合成樹脂等の有機系材料によって形成された第二部材２０に嵌め込まれた第一部材１０は、着脱可能に形成されている。したがって、第二部材２０は第一部材１０を狭持しやすいように、可撓性を有する構成としても良い。
【００２３】
図２に示すように、第一部材１０は、宝石等が取り付けられた表面１１と、その表面１１の側方に連続して、屈曲することにより設けられる側方面１２と、側方面１２から突出して形成された脚部１３を備えている。脚部１３は、側方面１２上であって、表面１１を介して対向した位置に一カ所ずつ、計二カ所に配設されている。なお、本実施形態では脚部１３は二カ所に設けられた構成を例示しているが、脚部１３の数はデザインに応じて適宜変更することができる。
【００２４】
なお、複数の係合溝２５に対し、脚部１３の数が異なる構成とすると、使用者は、脚部１３を挿入する係合溝２５、または係合溝２５に挿入する脚部１３を適宜選択して第一部材１０を第二部材２０に嵌入させることができる。
【００２５】
その結果、第一部材１０の第二部材２０に対する取付角度を限定することがなく、例えば、第一部材１０に備えられた表面１１のデザインが非対称のモチーフである場合、取付角度を自由に選択し、全体として異なったデザインの指輪１００とすることができる。その結果、指輪１００のデザインにおいて自由度が向上し、使用者をより楽しませることができる。
【００２６】
脚部１３は、表面１１を上方とした時、側方面１２の下方位置に配設される。そして脚部１３は、表面１１と対向する面である裏面１４と連続して面一となる位置まで延設され、表面１１及び裏面１４に対して略垂直に配設されている。
【００２７】
また、第一部材１０において、側方面１２の表面１１とは反対側の端部、すなわち裏面１４は、後述の第二部材２０の内側面２４と連続して略円形状となるように形成されている。したがって、使用者が指輪１００を装着した際に違和感を覚えることがなく、また、第一部材１０のデザインが制限されることもない。
【００２８】
本実施形態１においては、表面１１が略円形の例を示すが、四角形、星形、ハート形やその他の様々な形状をとることができる。また、表面１１は、宝石類を貼り合わせたり、側方面１２の内側に宝石類を嵌入させたりすることにより形成される。
【００２９】
図３に示すように、第二部材２０は、その一部を切り欠いた環体、すなわち、略Ｃ字状を呈する形状に形成されている。第二部材２０の切欠部２１は、対向して設けられた第一部材狭持面２２によって形成される。すなわち、切欠部２１は外側面２３と内側面２４を貫通するように形成されており、外側面２３と内側面２４との間には切欠部２１を形成する第一部材狭持面２２が備えられている。
【００３０】
第一部材狭持面２２は、第一部材１０の形状に沿うように形成されている。なお、本実施形態の第一部材１０は、図２に示すように表面１１が略円形であり、側方面１２が表面１１の外周に沿って湾曲して形成されているため、第一部材狭持面２２は、湾曲した凹状になるように形成されている。
【００３１】
第一部材狭持面２２は、第一部材１０の側方面１２の曲率と同一の曲率からなる湾曲形状に形成されている。したがって、第一部材狭持面２２は、第一部材１０を切欠部２１に嵌合させた際に、第一部材１０の側方面１２に当接する。そして、対向する第一部材狭持面２２同士の間隔、すなわち切欠幅は、第一部材１０の側方面１２の外径と同じ、或いはわずかに幅狭に形成されている。なお、幅狭に形成されている場合、第一部材狭持面２２同士の間隔と、側方面１２の外径との差は極めて小さいものである。
【００３２】
そして、第一部材狭持面２２には、第一部材１０の脚部１３が嵌合される係合溝２５が形成されている。係合溝２５は、脚部１３の形状に沿わせて、外側面２３よりも内側の位置から、内側面２４まで延設されている。この時、係合溝２５は、第一部材１０の表面１１に対して略垂直に延設されている。
【００３３】
なお、本実施形態１において、第二部材２０は略円形状の環体の例を示したが、第一部材狭持面２２を備えた形状であれば、略矩形状の第二部材２０としてもよい。また、本実施形態１では、第二部材に対して第一部材が一つ取り付けられた構成を例示したが、デザインに合わせて、第一部材の数を複数設けても良い。
【００３４】
次に、本発明の指輪１００について、第二部材２０に対して第一部材１０を脱着する際の手順を含めた製造方法を説明する。
【００３５】
本発明の指輪１００は、以下の工程を経て製造される。
まず、脚部１３を含め、所定の大きさ、形状に形成された第一部材１０の表面１１に宝石等を貼り付けるか、嵌入することにより第一部材１０に装飾面を形成する。なお、脚部１３は一体に形成されていると好ましいが、別体に形成して接合する工程を備えていても良い。
【００３６】
次に、切欠部２１を備えた第二部材２０を形成する。このとき、環体から第一部材１０の形状に合わせた切欠部２１を切除しても良いし、予め所定形状の切欠部２１を備えた形状に鋳型等で形成しても良い。
【００３７】
その後、切欠部２１の第一部材狭持面２２に係合溝２５を形成する。なお、上記切欠部２１を形成する工程において、係合溝２５を同時に形成する構成であっても良い。
なお、第一部材１０及び第二部材２０の形成工程は別工程であるため、同時に加工することができる。
【００３８】
上記工程により製造された第二部材２０の切欠部２１に対して、第一部材１０を所要の力で挿入して嵌合させることにより第一部材１０が取り付けられる。より詳細には、第二部材２０の第一部材狭持面２２に、第一部材１０の側方面１２が当接し、さらに係合溝２５に脚部１３が嵌合することにより第一部材１０が狭持される。
【００３９】
このとき、切欠部２１の切欠幅が第一部材１０の幅（外径）よりも若干幅狭に形成されていると、第一部材１０が第二部材２０により強固に挟み込まれるため、確実に保持される。そしてこの場合、第一部材１０は第二部材２０を若干押し広げるようにして嵌入される。
【００４０】
また、第一部材１０を第二部材２０に嵌入させる際、第一部材１０を第二部材２０の内側、すなわち内側面２４側から挿入し、第一部材１０の側方面１２に設けられた脚部１３を、第二部材２０に設けられた係合溝２５に挿入する。この構成により、使用者が指輪１００を装着した際、第一部材１０が第二部材２０から外れた場合であっても、使用者の指によって第一部材１０が押し止められるため、第一部材１０の脱離を防ぐことができる。また、脚部１３を係合溝２５に係合させることにより、第一部材１０を正確な位置で容易に嵌合させることができる。
【００４１】
さらに、第一部材１０を第二部材２０の内側面２４から挿入する際、係合溝２５の壁面２５ａに脚部１３が押し止められるので、挿入位置が決めやすい。すなわち、第一部材１０を第二部材２０に嵌入させる際、第一部材１０は脚部１３が壁面２５ａに引っ掛かり、それ以上は押し込まれることがないため、第一部材１０を押し込みすぎることがない。
【００４２】
また、脚部１３が係合溝２５で位置決めされて保持されるため、第一部材１０の挿入後も、第一部材１０と第二部材２０の相対位置がずれることがなく好適である。なお、壁面２５ａは、外側面２３と、内側面２４から所定距離離間した位置に設けられ、脚部１３の表面１１側の面に当接するように形成されている。
【００４３】
一方、第一部材１０を第二部材２０から取り外す際は、第一部材１０の表面１１を、指輪１００の内側、すなわち裏面１４の方向へ所要の力で押圧するだけでよい。この時、第一部材１０の脚部１３が第二部材２０の内側面２４と面一になるように、表面１１に対して略垂直に配設されているため、脚部１３は第二部材２０に引っ掛かることがない。したがって、第一部材１０を容易に第二部材２０から離脱させることができる。
【００４４】
そして、異なるデザインの装飾を施した第一部材１０を、第二部材２０に上記手順で脱着することにより、使用者は、様々なデザインの指輪１００を楽しむことができる。また、切欠部２１の形状・大きさが同一であれば、サイズの異なる第２部材２０に交換することにより、さまざまなサイズの指輪１００とすることができる。
【００４５】
［実施形態２］
以下、本発明の実施形態２としてのネックレス２００について、図４を参照して説明する。なお、実施形態１と共通である部分は、共通の符号を付している。また、第一部材１０を第二部材２０に嵌入するための構造及び手順は実施形態１と共通しているため、その説明は省略する。
【００４６】
図４は本発明の実施形態２を示すものであり、図４（ａ）は装身具の正面図、（ｂ）は装身具の下面図である。
【００４７】
本発明に係る装身具の実施形態２であるネックレス２００は、図４で示すように、第一部材１０及び第二部材２０を備えている。そして、第二部材２０に嵌め込まれた第一部材１０は、着脱可能に形成されている。第二部材２０にはチェーンが係止されており、全体としてネックレス２００を構成している。
【００４８】
第二部材２０が略Ｃ状の環体で形成されている実施形態１とは異なり、本実施形態２のネックレス２００は、略円柱状の第二部材２０の内部が切り欠かれた環体によって形成されている。そして、その切り欠かれた内部に第一部材１０を嵌入させる構成となっている。
【００４９】
第二部材２０は、表面１１が配設される側とは反対の側に、円板状の蓋体２６をさらに備えている。蓋体２６は、第二部材２０の一部と固着された支点２６ａを有し、その支点を中心に回転してスライド可能に配設されている。そして、蓋体２６は、第二部材２０と重なる位置で係着する。したがって、蓋体２６及び第二部材２０を係着する箇所に、それぞれ凹凸が形成されていると好ましい。
【００５０】
このように、蓋体２６を備えることにより、第一部材１０が第二部材２０から脱離するのを防止することができる。
【００５１】
［実施形態３］
以下、本発明の実施形態３としての腕時計３００について、図５を参照して説明する。なお、実施形態１と共通である部分は、共通の符号を付している。また、第一部材１０を第二部材２０に嵌入するための構造及び手順は実施形態１と共通しているため、その説明は省略する。
【００５２】
図５は本発明の実施形態３を示すものであり、図５（ａ）は装身具の平面図、（ｂ）は装身具の側面図、（ｃ）は装身具の正面図である。
【００５３】
本発明に係る装身具の実施形態３である腕時計３００は、図５で示すように、第一部材１０及び第二部材２０を備えている。そして、第二部材２０に嵌め込まれた第一部材１０は、着脱可能に形成されている。
【００５４】
表面１１が装飾部としての機能を有していた実施形態１とは異なり、本実施形態３の第一部材１０は、時計を備えている。したがって、時計が壊れた場合は第一部材１０のみを修理または交換するだけでよい。さらに、第一部材１０のデザインだけでなく、第二部材２０のデザインを容易に取り替えて変更することが可能である。
【００５５】
［実施形態４］
以下、本発明の実施形態４としてのキーホルダー４００について、図６を参照して説明する。なお、実施形態１と共通である部分は、共通の符号を付している。また、第一部材１０を第二部材２０に嵌入するための構造及び手順は実施形態１と共通しているため、その説明は省略する。
【００５６】
図６は本発明の実施形態４を示すものであり、図６（ａ）は装身具の正面図、（ｂ）は装身具の下面図である。
【００５７】
本発明に係る装身具の実施形態４であるキーホルダー４００は、図６で示すように、第一部材１０及び第二部材２０を備えている。そして、第二部材２０に嵌め込まれた第一部材１０は、着脱可能に形成されている。第二部材２０にはキーホルダー取付用金具及びフックが係止されており、全体としてキーホルダー４００を構成している。
【００５８】
上記実施形態において、第一部材１０の表面１１は略円形状のものを例示したが、本実施形態のように、第一部材１０の表面１１は、ハート形等、さまざまな形状とすることが可能である。そして、脚部１３は、ハート形の左右対称となる位置に配設されている。
【００５９】
［実施形態５］
以下、本発明の実施形態５としてのストラップ５００について、図７を参照して説明する。なお、実施形態１と共通である部分は、共通の符号を付している。また、第一部材１０を第二部材２０に嵌入するための構造及び手順は実施形態１と共通しているため、その説明は省略する。
【００６０】
図７は本発明の実施形態５を示すものであり、図７（ａ）は装身具の正面図、（ｂ）は装身具の下面図である。
【００６１】
本発明に係る装身具の実施形態５であるストラップ５００は、図７で示すように、第一部材１０及び第二部材２０を備えている。そして、第二部材２０に嵌め込まれた第一部材１０は、着脱可能に形成されている。第二部材２０にはストラップ取付用金具及びストラップが係止されており、全体としてストラップ５００を構成している。
【００６２】
［実施形態６］
以下、本発明の実施形態６としての眼鏡６００について、図８を参照して説明する。なお、実施形態１と共通である部分は、共通の符号を付している。また、第一部材１０を第二部材２０に嵌入するための構造に関し、基本的な構造は実施形態１と共通している。
【００６３】
図８は本発明の実施形態６を示すものであり、図８（ａ）は装身具の正面図、（ｂ）は装身具の平面図である。
【００６４】
本発明に係る装身具の実施形態６である眼鏡６００は、図８で示すように、第一部材１０及び第二部材２０を備えている。なお、第一部材１０及び第二部材２０が一つの部材で構成されていた上記各実施形態１〜５とは異なり、本実施形態６において第一部材１０及び第二部材２０は複数の部材によって形成されている。すなわち本実施形態６では、眼鏡６００のレンズを備えた部分が第一部材１０に相当し、眼鏡６００のテンプル（より詳細には蝶番）、及び二つのレンズを連結するブリッジの部分が第二部材２０に相当する。
【００６５】
なお、上記眼鏡６００のテンプルやブリッジの部分は合成樹脂、金属等の適当な材料によって形成されている。
【００６６】
そして、第二部材２０に嵌め込まれた第一部材１０は、着脱可能に形成されている。上位構成の第二部材２０にレンズを備えた第一部材１０が嵌着されており、全体として眼鏡６００を構成している。
【００６７】
なお、本実施形態６ではレンズを備えた部分が第一部材１０に相当し、さらに、表面１１は、使用者が眼鏡６００を装着した際、使用者の顔と反対側に配設される面を指すものである。したがって、第一部材１０は、第二部材２０に対して、表面１１と反対側の面、すなわち使用者の顔側の面から嵌着される。
【００６８】
図８に示すように、フレーム及びレンズによって構成された第一部材１０は、使用者の顔が配設される側とは反対の位置に配設される表面１１と、その表面１１の側方に連続した側方面１２と、側方面１２から突出して形成された脚部１３を備えている。脚部１３は、側方面１２上であって、表面１１を介して対向した位置に一カ所ずつ、計二カ所に配設されている。なお、本実施形態６において脚部１３は、ひとつの第一部材１０の二カ所に設けられた構成を例示しているが、脚部１３の数はデザインに応じて適宜変更することができる。
【００６９】
脚部１３は、表面１１を上方とした時、側方面１２の下方位置に配設される。そして脚部１３は、表面１１と対向する面である裏面１４と連続して面一となる位置まで延設され、表面１１及び裏面１４に対して略垂直に配設されている。
【００７０】
また、第一部材１０において、側方面１２の表面１１とは反対側の端部、すなわち裏面１４は、後述の第二部材２０と連続して面一となるように形成されている。したがって、使用者が眼鏡６００を装着した際に違和感を覚えることがない。
【００７１】
図８に示すように、第二部材２０は、複数の部材によって形成されている。複数の第二部材２０は、互いに対向して配設される第一部材狭持面２２を備えている。
第一部材狭持面２２は、第一部材１０の形状に沿うように形成されている。
【００７２】
そして、第一部材狭持面２２には、第一部材１０の脚部１３が嵌合される係合溝２５が形成されている。係合溝２５は、脚部１３の形状に沿わせて、表面１１が配設される位置よりも内側の位置から、裏面１４が配設される位置まで延設されている。この時、係合溝２５は、第一部材１０の表面１１に対して略垂直に延設されている。
【００７３】
このとき、第一部材１０に対して嵌合する第二部材２０が複数備えられており、第一部材１０を嵌入する空間が固定されたものではなく、第一部材１０と第二部材２０とを嵌合させる際に調節することができるため、係合溝２５と脚部１３の凹凸を入れ替えた構成としても良い。すなわち、第一部材１０の脚部１３に相当する位置に凹設された係合溝を形成し、第二部材２０の係合溝２５に相当する位置に突出した脚部を備えた構成としても良い。
【００７４】
なお、上記実施形態１の指輪１００、実施形態２のネックレス２００、実施形態３の腕時計３００、実施形態４のキーホルダー４００、実施形態５のストラップ５００、後述の実施形態７の靴７００は、第二部材２０に形成された切欠部２１の形状が固定されているため、第二部材２０に係合溝２５を備えた構成となっている。
【００７５】
つまり、第二部材２０の係合溝２５の部分を突出した脚部とし、第一部材１０の脚部１３の部分を凹部とした係合溝を備えた構成、すなわち係合溝２５と脚部１３の凹凸を入れ替えた構成とすると、第一部材１０の側方面１２が、第二部材２０に形成された脚部に引っ掛かるため、第一部材１０を、裏面１４側から表面１１側方向に向かって第二部材２０に嵌入させることができない。
【００７６】
次に、本発明の眼鏡６００について、第二部材２０に対して第一部材１０を脱着する際の手順を含めた製造方法を説明する。
【００７７】
本発明の眼鏡６００は、以下の工程を経て製造される。
まず、脚部１３を含め、所定の大きさ、形状に形成された第一部材１０として、レンズが備えられたフレームを形成する。なお、脚部１３はレンズが備えられたフレームに一体に形成されていると好ましいが、別体に形成して接合する工程を備えていても良い。
【００７８】
次に、係合溝２５を備えた第二部材２０を形成する。このとき、第一部材１０の脚部１３に合わせた係合溝２５を切除しても良いし、予め所定形状の係合溝２５を備えた形状に鋳型等で形成しても良い。
なお、第一部材１０及び第二部材２０の形成工程は別工程であるため、同時に加工することができる。
【００７９】
上記工程により製造された第二部材２０の係合溝２５に対して、第一部材１０の脚部１３を所要の力で挿入して嵌合させることにより第一部材１０が取り付けられる。より詳細には、第二部材２０の第一部材狭持面２２に、第一部材１０の側方面１２が当接して係合溝２５に脚部１３が嵌合することにより第一部材１０が狭持される。
【００８０】
このとき、第一部材１０を第二部材２０に嵌入させる際、第一部材１０の裏面１４側から第二部材２０に挿入し、第一部材１０の側方面１２に設けられた脚部１３を、第二部材２０に設けられた係合溝２５に挿入する。このように、脚部１３を係合溝２５に係合させることにより、第一部材１０を正確な位置で容易に嵌合させることができる。
【００８１】
また、脚部１３が係合溝２５で位置決めされて保持されるため、第一部材１０の挿入後も、第一部材１０と第二部材２０の相対位置がずれることがなく好適である。
【００８２】
一方、第一部材１０を第二部材２０から取り外す際は、第一部材１０の表面１１を、眼鏡６００の内側、すなわち裏面１４の方向へ所要の力で押圧するだけでよい。この時、第一部材１０の脚部１３が第二部材２０の内側面２４と面一になるように、表面１１に対して略垂直に配設されているため、脚部１３は第二部材２０に引っ掛かることがない。したがって、第一部材１０を容易に第二部材２０から離脱させることができる。
【００８３】
そして、異なるデザインのフレーム及びレンズが装着された第一部材１０を、第二部材２０に上記手順で脱着することにより、使用者は、様々なデザインの眼鏡６００を楽しむことができる。また、サイズの異なる第一部材１０及び第２部材２０に交換することにより、デザインだけでなく、さまざまなサイズの眼鏡６００とすることができる。
【００８４】
［実施形態７］
以下、本発明の実施形態７としての靴７００について、図９を参照して説明する。なお、実施形態１と共通である部分は、共通の符号を付している。また、第一部材１０を第二部材２０に嵌入するための構造に関し、基本的な構造は実施形態１と共通している。
【００８５】
図９は本発明の実施形態７を示すものであり、図９（ａ）は装身具の平面図、（ｂ）は装身具の正面図である。
【００８６】
本発明に係る装身具の実施形態７である靴７００は、図９で示すように、靴本体１５及び第二部材２０を備えている。なお、本実施形態７では、靴７００において靴本体１５が第一部材１０に相当し、ヒールリフト（踵の高さを稼ぐ部分）の部分が第二部材２０に相当する。
【００８７】
なお、図９に示すように、靴本体１５は、アッパー１５ａ（靴底を除いた上の部分）、インソール１５ｂ（足を支える中底の部分）、アウトソール１５ｃ（表底の部分）、及びアウトソールから突出してヒールリフトに嵌入される突出部１５ｄを備えている。
【００８８】
そして、靴７００のアッパー１５ａ、インソール１５ｂ、アウトソール１５ｃ、第二部材２０の部分は合成樹脂、革、木材等の適当な材料によって形成されている。また、突出部１５ｄは、金属や合成樹脂等の適当な材料によって形成されている。なお、第二部材２０において、少なくとも突出部１５ｄが嵌入される部位、すなわち第一部材狭持面２２及び係合溝２５を形成する部分は、所定の強度を備えた金属又は樹脂で形成されていると好ましい。
【００８９】
なお、本実施形態７では突出部１５ｄのアッパー１５ａと反対側に配設される面が表面１１に相当し、第二部材２０に嵌入された際に第二部材２０の内部に配設される面を指すものである。したがって、靴本体１５は、第二部材２０に対して、表面１１と反対側の面、すなわちアッパー１５ａ側から嵌入される。
【００９０】
本実施形態７では、第一部材１０としての靴本体１５において、側方面１２及び脚部１３は突出部１５ｄ上に設けられる。突出部１５ｄは第二部材２０の高さ方向に沿って配設されており、その表面には第二部材２０の高さ方向に沿って脚部１３が形成されている。突出部１５ｄは内部が中空の略円筒状に形成されており、その側面である側方面１２には、孔１６を備えている。なお、本実施形態７では突出部１５ｄが円筒状に形成された例を示したが、角筒状等、その他の形状としてもよい。
【００９１】
第二部材２０に嵌入される突出部１５ｄは、その表面、すなわち側方面１２上に脚部１３を備えている。脚部１３は、側方面１２上であって、適当な位置に、適当数で配設されている。なお、本実施形態では脚部１３は３カ所に設けられた構成を例示しているが、脚部１３の数はデザインに応じて適宜変更することができる。
【００９２】
第二部材２０の内部に形成された第一部材狭持面２２は、靴本体１５の側方面１２の曲率と同一の曲率からなる湾曲状に形成されている。したがって、第一部材狭持面２２は、第一部材１０を切欠部２１に嵌合させた際に、第一部材１０の側方面１２に当接する。そして、対向する第一部材狭持面２２同士の間隔、すなわち突出部１５ｄの直径は、第一部材１０の側方面１２の外径と同じ、或いはわずかに幅狭に形成されている。なお、幅狭に形成されている場合、第一部材狭持面２２同士の間隔と、側方面１２の外径との差は極めて小さいものである。
【００９３】
孔１６は、突出部１５ｄの内部の中空部分まで貫通して形成されており、係止部材３１を嵌入させるため、係止部材３１とほぼ同形、同大に形成される。したがって、係止部材３１を孔１６に挿入するため、第二部材２０においてもまた、係止部材３１が挿入される孔２７が備えられている。
【００９４】
また第二部材２０において、アウトソール１５ｃに当接する面は、アウトソール１５ｃの外径に沿うような形状に形成されている。
【００９５】
係止部材３１は、楔状に形成されており、突出部１５ｄが第二部材２０に嵌入された際、孔２７を介して孔１６を貫通して差し込まれることにより、靴本体１５が第二部材２０から脱離するのを防ぐことができる。したがって、第二部材２０に対してより強固に靴本体１５を係止することができる。
【００９６】
そしてこの時、係止部材３１は、突出部１５ｄを第二部材２０に嵌入する方向に対してほぼ垂直となるように差し込まれる構成とすると、第二部材２０に対する靴本体１５の取付強度が向上するため好ましい。
【００９７】
また、靴本体１５と第二部材２０を脱離させる際、係止部材３１を引き抜く必要がある。したがって、係止部材３１は、第二部材２０のデザインに応じて、孔２７から僅かに突出する構成とすると、引き抜きやすい。
【００９８】
次に、本発明の靴７００について、第二部材２０に対して靴本体１５を脱着する際の手順を含めた製造方法を説明する。
【００９９】
本発明の靴７００は、以下の工程を経て製造される。
まず、脚部１３を含め、所定の大きさ、形状に形成された第一部材として、靴本体１５を形成する。この時、突出部１５ｄはアウトソール１５ｃに接着して取り付けられている。なお、靴本体１５の突出部１５ｄを除くその他の部分は、周知の技術で形成される。なお、靴本体１５の突出部１５ｄにおいて、脚部１３は一体に形成されていると好ましいが、別体に形成して接合する工程を備えていても良い。
【０１００】
次に、係合溝２５を備えた第二部材２０を形成する。このとき、靴本体１５の脚部１３に合わせた係合溝２５を切除しても良いし、予め所定形状の係合溝２５を備えた形状に鋳型等で形成しても良い。
なお、靴本体１５及び第二部材２０の形成工程は別工程であるため、同時に加工することができる。
【０１０１】
上記工程により製造された第二部材２０の係合溝２５に対して、靴本体１５の脚部１３を所要の力で挿入して嵌合させることにより靴本体１５が取り付けられる。より詳細には、第二部材２０の第一部材狭持面２２に、靴本体１５の側方面１２が当接して係合溝２５に脚部１３が嵌合することにより第一部材１０が狭持される。
【０１０２】
そして、楔形に形成された係止部材３１を、孔２７を介して孔１６に挿入する。このように、同軸状に設けられた孔１６及び孔２７に対して係止部材３１を嵌入させることにより、靴本体１５及び第二部材２０を強固に接合させることができる。
【０１０３】
一方、靴本体１５を第二部材２０から取り外す際は、係止部材３１を孔１６及び孔２７から抜き取る。そしてさらに、突出部１５ｄをアッパー１５ａ側へ所定の力で引くことによって第二部材２０から靴本体１５を脱離させる。
【０１０４】
そして、異なるデザインの靴本体１５を、第二部材２０に上記手順で脱着することにより、使用者は、様々なデザインの靴７００を楽しむことができる。また、サイズの異なる靴本体１５及び第２部材２０に交換することにより、デザインだけでなく、さまざまなサイズの靴７００とすることができる。
【０１０５】
上記各実施形態では、装身具の一例として、指輪、ネックレス、腕時計、キーホルダー、ストラップ、眼鏡、靴を具体例として説明したが、これらの装身具と同様、本体（第二部材）に第一部材を取り付ける構成の装身具にも本発明を適用することができるのは勿論である。カフスボタン、ネクタイピン、ベルト、ブレスレット、アンクレット等に本発明を適用すると、第一部材の交換を容易に行うことができ、少ない費用で多様な装身具を楽しむことができる。
【符号の説明】
【０１０６】
１００  指輪（装身具）
２００  ネックレス（装身具）
３００  腕時計（装身具）
４００  キーホルダー（装身具）
５００  ストラップ（装身具）
６００  眼鏡（装身具）
７００  靴（装身具）
１０  第一部材（装飾部材）
１１  表面
１２  側方面
１３  脚部
１４  裏面
１５  靴本体（第一部材）
１５ａ  アッパー
１５ｂ  インソール
１５ｃ  アウトソール
１５ｄ  突出部
１６  孔
２０  第二部材
２１  切欠部
２２  第一部材狭持面
２３  外側面
２４  内側面
２５  係合溝
２５ａ  壁面
２６  蓋体
２６ａ  支点
２７  孔
３１  係止部材
【図１】
2011161089.tif 000003
【図２】
2011161089.tif 000004
【図３】
2011161089.tif 000005
【図４】
2011161089.tif 000006
【図５】
2011161089.tif 000007
【図６】
2011161089.tif 000008
【図７】
2011161089.tif 000009
【図８】
2011161089.tif 000010
【図９】
2011161089.tif 000011